(57)【要約】【課題】基板上で生じる熱を放熱する機能を維持しながら、基板上の発光素子及び導体と、接地される部材との間の絶縁距離を確保することがより容易である照明器具を提供する。【解決手段】基板２１の第一面２１１には、発光素子２２と配線用の導体２７とが設けられている。導電部材３は、電気的に接地される。外部筐体５は、電気絶縁性を有する。ハウジング８は、導電部材３の少なくとも一部と基板２１とを収容する。基板２１の第二面２１２は、放熱領域２６を有する。放熱領域２６は、導体２７と電気的に絶縁されている。放熱領域２６は、導電部材３に熱的に結合している。外部筐体５の固定部（第一ボス部５４）には、基板２１が固定される。【選択図】図１
2018120827.tif 000002
【特許請求の範囲】
【請求項１】
発光素子と配線用の導体とが設けられている第一面を有する基板と、
電気的に接地される導電部材と、
電気絶縁性を有する外部筐体と、カバーと、を含み、前記導電部材の少なくとも一部と前記基板とを収容するハウジングと、を備え、
前記基板は、前記第一面とは反対側の面であって、前記導体と電気的に絶縁されており前記導電部材に熱的に結合している放熱領域を有する第二面を更に有し、
前記外部筐体は、前記基板が固定される少なくとも１つの固定部を含む
ことを特徴とする照明器具。
【請求項２】
前記導電部材は、
少なくとも一部が前記ハウジングの内部に収容されている基部と、
前記基部に繋がっており、支柱に取り付けられる支柱取付部と、を有する
ことを特徴とする請求項１記載の照明器具。
【請求項３】
前記基板は、固定ねじが挿入される挿入孔を有し、
前記固定部は、前記挿入孔に挿入された前記固定ねじが締められるねじ孔を有する
ことを特徴とする請求項１又は２に記載の照明器具。
【請求項４】
前記固定部が複数設けられており、
前記外部筐体は、前記基板の前記第二面を覆っている主部を更に有し、
前記複数の固定部の各々は、前記主部から突出しており、前記ねじ孔を有する
ことを特徴とする請求項３記載の照明器具。
【請求項５】
前記ねじ孔は、前記固定ねじが前記導電部材に接することなく締められる位置に設けられていることを特徴とする請求項３又は４に記載の照明器具。
【請求項６】
前記導電部材は、前記ねじ孔の深さ方向に直交する方向において前記ねじ孔と対向する位置に、凹部を有することを特徴とする請求項５記載の照明器具。
【発明の詳細な説明】
【技術分野】
【０００１】
本発明は照明器具に関し、より詳細には、接地される導電部材を備える照明器具に関する。
【背景技術】
【０００２】
従来例として特許文献１記載の照明装置を例示する。特許文献１記載の照明装置は、ＬＥＤ（Light Emitting Diode）が表面に実装された基板と、金属板から成るアーム（導電部材）とを備えている。基板は、取付ねじによりアームに固定されている。ＬＥＤが発する熱は、アームへ伝導して、外気へと放熱される。
【先行技術文献】
【特許文献】
【０００３】
【特許文献１】特開２０１４−１６５１３８号公報
【発明の概要】
【発明が解決しようとする課題】
【０００４】
しかしながら、特許文献１記載の照明装置では、基板のうち、ＬＥＤ及び配線用の導体など照明装置の通常の使用状態において通電する部分（通電部）が設けられる表面から、取付ねじが突出する。そのため、取付ねじとして導電性のねじが用いられており、漏電防止のためにアームが接地されている場合には、コモンモードの雷サージへの対策のために、基板表面の通電部と、アームを介して接地される取付ねじとの間の絶縁距離を確保する必要がある。
【０００５】
通電部と取付ねじとの間の絶縁距離を確保する手段として、例えば、基板において通電部を、取付ねじの近傍を避けて設けることが考えられる。しかしながら、この場合は、基板上において通電部を設けることができる領域が制限されるという問題が生じる。このように、通電部と取付ねじとの間の絶縁距離を確保することは容易ではなかった。
【０００６】
本発明は、基板上で生じる熱を放熱する機能を維持しながら、基板上の発光素子及び導体と、接地される部材との間の絶縁距離を確保することがより容易である照明器具を提供することを目的とする。
【課題を解決するための手段】
【０００７】
上記の課題を解決するために、本発明の一態様に係る照明器具は、基板と、導電部材と、ハウジングと、を備える。前記基板は、第一面を有する。前記第一面には、発光素子と配線用の導体とが設けられている。前記導電部材は、電気的に接地される。前記ハウジングは、外部筐体と、カバーとを含む。前記外部筐体は、電気絶縁性を有する。前記ハウジングは、前記導電部材の少なくとも一部と前記基板とを収容する。前記基板は、第二面を更に有する。前記第二面は、前記第一面とは反対側の面である。前記第二面は、放熱領域を有する。前記放熱領域は、前記導体と電気的に絶縁されている。前記放熱領域は、前記導電部材に熱的に結合している。前記外部筐体は、少なくとも１つの固定部を含む。前記固定部には、前記基板が固定される。
【発明の効果】
【０００８】
本発明の一態様に係る照明器具では、基板上で生じる熱を放熱する機能を維持しながら、基板上の発光素子及び導体と、接地される部材との間の絶縁距離を確保することがより容易である。
【図面の簡単な説明】
【０００９】
【図１】図１は、本発明の一実施形態に係る照明器具の分解斜視図である。
【図２】図２は、同上の照明器具の外部筐体及び電源ケースの斜視図である。
【図３】図３は、同上の照明器具の部分的な側断面図である。
【図４】図４は、同上の照明器具の内部を示す下面図である。
【図５】図５は、同上の照明器具が支柱に取り付けられた状態を示す斜視図である。
【発明を実施するための形態】
【００１０】
以下、実施形態に係る照明器具について、図面を用いて説明する。以下、特に断りのない限り、照明器具１の後述の基板２１の長手方向を、照明器具１の前後方向とする。また、基板２１の短手方向を、照明器具１の左右方向とする。また、基板２１の厚み方向を照明器具１の上下方向とし、基板２１において後述の発光素子２２が取り付けられている側を下とし、反対側を上とする。
【００１１】
本実施形態の照明器具１は、図１に示すように、光源モジュール２と、導電部材３と、カバー４と、外部筐体５と、レンズユニット６と、電源ケース７と、を備えている。なお、図３では、レンズユニット６を省略し、図４ではレンズユニット６とカバー４とを省略している。
【００１２】
図１、５に示すように、カバー４は外部筐体５に取り付けられており、外部筐体５と共にハウジング８を構成している。ハウジング８は、光源モジュール２、導電部材３の一部（後述する支持部３Ａ）、レンズユニット６及び電源ケース７を収容している。２本の給電線１００により光源モジュール２に電力が供給されると、光源モジュール２の後述の複数（図１では９つ）の発光素子２２が点灯する。照明器具１は、例えば道路の脇など地上に設置される支柱２００（例えば、鋼管ポールや電柱）に取り付けられて、防犯灯又は街路灯として用いられる。
【００１３】
外部筐体５は、例えばＡＳＡ（acrylate styrene acrylonitrile）樹脂などの樹脂材料により形成されている。図２に示すように、外部筐体５は、下面に開口５２１を有する箱状に形成されている。外部筐体５は、矩形板状の主部５１と、外壁５２とを有している。主部５１は、長手方向が前後方向に沿っており、短手方向が左右方向に沿っており、厚み方向が上下方向に沿っている。外壁５２は、主部５１の厚み方向（上下方向）に沿って突出している。より詳細には、外壁５２は、後述の接続部５５が設けられている後側の部分を除く主部５１の周縁から、下向きに突出している。また、外部筐体５は、外壁５２の内側に２つの内壁５３を有している。２つの内壁５３は、主部５１の長手方向（前後方向）に沿った両辺の近傍に形成されており、主部５１から下向きに突出している。また、各内壁５３は、導電部材３（図１参照）の後述する２つの引掛爪３７（図１参照）が引っ掛けられる溝部５３１を有している。
【００１４】
外部筐体５は、４つの第一ボス部５４（固定部）を有している。各第一ボス部５４は、円筒状に形成されている。すなわち、各第一ボス部５４は、ねじ孔５４１を有している。４つの第一ボス部５４は、主部５１から下向きに突出している。４つの第一ボス部５４のうち２つの第一ボス部５４は、２つの内壁５３のうち一方の内壁５３と一体に形成されており、残りの２つの第一ボス部５４は、他方の内壁５３と一体に形成されている。
【００１５】
外部筐体５の内側において、外部筐体５の長手方向の一端（前端）付近には、電源ケース７が取り付けられている。また、外部筐体５の外壁５２において、電源ケース７が取り付けられる部分には、電源ケース７を取り付けるための２つ（図１では１つのみを図示）の引掛片５２２（図１参照）が形成されている。各引掛片５２２は、外部筐体５の短手方向から見てＬ字状に形成されており、外部筐体５の内側へ向かって突出している。
【００１６】
また、外部筐体５は、長手方向の他端（後端）に接続部５５を有している。接続部５５は角樋状に形成されており、外部筐体５の内部の空間と外部の空間とを前後方向において繋いでいる。接続部５５の下面５５２は、左右方向の両端付近を除く部分が、接続部５５の厚みを一定に保って下向きに突出している。すなわち、下面５５２の左右方向の両端付近にはそれぞれ、導電部材３（図５参照）の後述する第一側板３２（図５参照）を差し込むための差込溝５５１（図２では一方のみを図示）が、前後方向に沿って形成されている。接続部５５は、導電部材３と２本の給電線１００とを、外部筐体５の内部から外部へ通している。
【００１７】
外部筐体５は、前端に２つの軸５６を有している。２つの軸５６には、カバー４（図１参照）の後述する２つのフック４２（図１参照）が一対一で対応して引っ掛けられている。
【００１８】
図２、３に示すように、主部５１は、内面５１１（下面）から下向きに突出した突台部５１２を有している。すなわち、主部５１は、外面５１０（上面）の一部分が厚み方向において窪んでいる。突台部５１２は、主部５１のうち、左右方向における中心を含む領域に設けられている。突台部５１２は、下面５１３が平状に形成されている。下面５１３は、接続部５５の下面５５２と繋がっている。突台部５１２は、上向きに窪んだ窪み部５１４を有している。窪み部５１４の内側には、第二ボス部５１５が形成されている。第二ボス部５１５は、円筒状に形成されている。すなわち、第二ボス部５１５は、丸孔５１６を有している。第二ボス部５１５は、窪み部５１４の底面５１７から下向きに突出している。
【００１９】
図１に示すように、カバー４は、長尺の半筒状のカバー本体４１を有している。カバー本体４１は、一の面（上面）に図示しない開口を有している。カバー本体４１は、例えばアクリル樹脂などの透光性を有する樹脂材料により形成されている。
【００２０】
カバー４は、カバー本体４１の長尺方向（前後方向）の先端に、２つのフック４２を有している。２つのフック４２は、外部筐体５の２つの軸５６に引っ掛けられている。これにより、カバー４は、２つの軸５６を支点として、外部筐体５の開口５２１を塞ぐ閉位置（図５に示す位置）と、外部筐体５の開口５２１を開放する開位置との間で回転可能である。すなわち、カバー４の２つのフック４２と、外部筐体５の２つの軸５６とでヒンジを構成している。
【００２１】
図４に示すように、光源モジュール２は、基板２１と、複数（図４では９つ）の発光素子２２とを有している。
【００２２】
基板２１は、例えば、銅板に樹脂等の電気絶縁性の材料がコーティングされた、いわゆる銅基板である。基板２１として銅基板を採用することにより、基板２１の放熱効率が高められている。基板２１は、矩形板状に形成されている。基板２１は、前後方向に長手方向を有している。基板２１は、下面である第一面２１１と、第一面２１１とは反対側の面（上面）である第二面２１２とを有している。
【００２３】
基板２１の後側において、第一面２１１は、光源実装領域２３を含む。光源実装領域２３は、基板２１の短手方向（左右方向）の中心を含む領域である。光源実装領域２３において、基板２１には、複数の発光素子２２が実装されている。各発光素子２２は、互いに間隔を空けて、基板２１の長手方向に沿って２列に並んでいる。より詳細には、各発光素子２２は、千鳥状に並んでいる。各発光素子２２は、例えば表面実装型のＬＥＤ素子である。さらに、複数の発光素子２２は、直列、並列、又は直並列に接続している。また、基板２１には、光源実装領域２３から後述の電源配線領域２４に亘って、配線用の導体２７が形成されている。ただし、図４では導体２７の形状を省略している。導体２７は、各発光素子２２への給電路を構成している。
【００２４】
基板２１の前側において、第一面２１１は、電源配線領域２４を含む。光源実装領域２３と電源配線領域２４とは、光源実装領域２３と電源配線領域２４とに亘って形成されている導体２７により互いに繋がっている。基板２１には、第二面２１２のうち、基板２１の厚み方向（上下方向）において電源配線領域２４と重なる領域２５に、２つの速結端子２５１と光センサ２５２とが取り付けられている。２つの速結端子２５１には、２つの給電線１００（図１参照）が一対一で対応して接続される。電源配線領域２４には、図示しない点灯回路が形成されている。点灯回路は、例えば、商用電源から２つの速結端子２５１を介して供給される交流電力を直流電力に変換するＡＣ／ＤＣコンバータを備えている。点灯回路は、光源実装領域２３の各発光素子２２へ電力を供給し、各発光素子２２を点灯させる。また、光センサ２５２が光を検知することで生じる後述の検知信号は、点灯回路に伝送される。光源モジュール２は、基板２１の第二面２１２のうち、領域２５を除く領域には、照明器具１の通常の使用状態において通電する部分（以下、通電部と称す）を有していない。光源モジュール２において通電部とは、例えば、光源実装領域２３及び電源配線領域２４の導体２７、光源実装領域２３の発光素子２２、電源配線領域２４の点灯回路、並びに、領域２５の各速結端子２５１及び光センサ２５２等である。また、第二面２１２は、領域２５とは異なる領域に、導電部材３と接している放熱領域２６を含む。
【００２５】
上記の通り、光源実装領域２３は、導体２７により電源配線領域２４に繋がっている。したがって、光源実装領域２３の回路と電源配線領域２４の回路とを、例えばレセプタクルを介してケーブルで繋ぐ必要がない。これにより、ケーブルの断線等による発光素子２２の点灯不良の発生を抑制することができる。また、照明器具１（図１参照）の組立性を向上させることができる。
【００２６】
基板２１は、４つの溝２８（挿入孔）を有している。各溝２８は、基板２１を厚み方向において貫通している。各溝２８は、基板２１の長手方向（前後方向）に沿った両辺に、半円状に形成されている。各溝２８は、基板２１の短手方向（左右方向）において、光源実装領域２３に対向する位置に形成されている。
【００２７】
また、基板２１は、丸孔２９を有している。丸孔２９は、光源実装領域２３と電源配線領域２４との接続部分２１５に前後方向において近い位置であって、基板２１の長手方向（前後方向）に沿った一辺の付近に形成されている。
【００２８】
基板２１の第二面２１２の少なくとも一部には、図示しない銅箔が貼り付けられている。少なくとも放熱領域２６には、銅箔が貼り付けられている。銅箔は、光源モジュール２の通電部と電気的に絶縁されている。後述するように、基板２１は銅箔を介して導電部材３と熱的に結合しているので、発光素子２２が発光すること等により光源モジュール２で生じる熱が導電部材３へと効率良く伝導する。
【００２９】
図１に示すように、レンズユニット６は、取付板６１と、複数（９つ）の発光素子２２にそれぞれ一対一で対応する複数（図１では９つ）のレンズ６２とを備えている。取付板６１は、矩形状に形成されている。各レンズ６２は、対応する発光素子２２が発する光の配光を制御する。各レンズ６２は、取付板６１と一体に形成されている。レンズユニット６は、例えばポリメタクリル酸メチル樹脂などの樹脂材料から成る樹脂成形品である。
【００３０】
取付板６１には、４つの溝６３が形成されている。各溝６３は、取付板６１を厚み方向において貫通している。各溝６３は、取付板６１の長手方向（前後方向）に沿った両辺に、半円状に形成されている。また、取付板６１には、丸孔６４が形成されている。
【００３１】
後述するように、光源モジュール２の基板２１の４つの溝２８と、レンズユニット６の４つの溝６３とがそれぞれ重ねられ、基板２１の丸孔２９とレンズユニット６の丸孔６４とが重ねられる。その状態で、４つの固定ねじ５４２により、レンズユニット６は、光源モジュール２と共に外部筐体５に固定されている。レンズユニット６は、基板２１の第一面２１１を部分的に覆っている。各レンズ６２は、対応する発光素子２２に対向している。
【００３２】
また、レンズユニット６は、４つの隔壁６５を更に有している。４つの隔壁６５は、取付板６１から厚み方向（上下方向）に沿って突出している。より詳細には、４つの隔壁６５は下向きに突出している。４つの隔壁６５は、４つの溝６３に一対一で対応している。各隔壁６５は、対応する溝６３の円弧状の部分に沿って溝６３を囲むように、アーチ状に形成されている。
【００３３】
導電部材３は、例えば鋼板などの金属板から成る。導電部材３は、光源モジュール２で生じる熱を放熱するための部材である。また、導電部材３は、支柱２００（図５参照）に取り付けられて外部筐体５を支持するための部材でもある。導電部材３は、帯状の主板３１と、２つの第一側板３２と、２つ（図１では１つのみを図示）の第二側板３３と、を有している。これらは一体に形成されている。主板３１は、左右方向に短手方向を有している。以下、導電部材３のうち外部筐体５を支持する部位を支持部３Ａ（基部）と称し、導電部材３のうち支柱２００に取り付けられる部位を支柱取付部３Ｂと称す。
【００３４】
支柱取付部３Ｂは、支持部３Ａに対して支持部３Ａの長手方向（前後方向）に並んでおり、支柱取付部３Ｂは、支持部３Ａに対して後側に位置している。主板３１のうち支持部３Ａの一部として形成されている部分は、上下方向に厚み方向を有している。支柱取付部３Ｂの一部は、支柱取付部３Ｂが支柱２００に取り付けられた際に、基板２１が水平面に対して一定の角度（例えば、６０度以上）で傾くように湾曲している。各第一側板３２は、主板３１の長手方向に沿った両辺から厚み方向に沿って突出している。より詳細には、各第一側板３２は、支持部３Ａの一部として形成されている部分が主板３１から上向きに突出しており、支柱取付部３Ｂの一部として形成されている部分と一続きに形成されている。各第二側板３３は、支持部３Ａの一部として主板３１から、主板３１の厚み方向に沿って突出している。より詳細には、各第二側板３３は、主板３１から上向きに突出している。
【００３５】
支持部３Ａにおいて、主板３１には、厚み方向（上下方向）のうち上向きに突出している突出部３４が設けられている。突出部３４には、第一取付孔３５が形成されている。さらに、支持部３Ａにおいて、主板３１には、第二取付孔３６が形成されている。各第二側板３３には、引掛爪３７が形成されている。また、支持部３Ａは、外部筐体５のねじ孔５４１の深さ方向（上下方向）に直交する方向（左右方向）においてねじ孔５４１（図４参照）と対向する２箇所に、凹部３８を有している。すなわち、支持部３Ａは、平面視で左右方向においてねじ孔５４１と対向する部分が窪んでいる。
【００３６】
支柱取付部３Ｂにおいて、主板３１には、だるま孔からなる第一ねじ挿通孔３１１と、丸孔からなる第二ねじ挿通孔３１２と、Ｕ字状のねじ挿通溝３１３とが形成されている。また、支柱取付部３Ｂにおいて、各第一側板３２には、矩形状の挿通孔３２１が設けられている。
【００３７】
図５に示すように、導電部材３は、支柱取付部３Ｂにおいて、取付金具９を介して支柱２００に固定される。取付金具９は、鋼板などの板材により形成されている。取付金具９は、矩形平板状の取付板９０と、取付板９０の長手方向に沿った両端縁から取付板９０の厚み方向に突出する一対の側板９１とを有する角樋状に形成されている。取付板９０には、図示しない３つのねじ孔が設けられている。また、一対の側板９１には、矩形の取付孔９１０がそれぞれ設けられている。
【００３８】
導電部材３は、電気的に接地される。また、導電部材３は、光源モジュール２（図１参照）の通電部（導体２７など。図１参照）と電気的に絶縁されている。
【００３９】
図２に示すように、電源ケース７は、直方体状に形成されている。電源ケース７は、第一部材７１と、第一部材７１に対して下側に配置される第二部材７２とを有しており、第一部材７１に第二部材７２を嵌め合わせることにより形成されている。電源ケース７は、光源モジュール２（図４参照）の基板２１（図４参照）が挿入される図示しない挿入孔を後方に有している。電源ケース７は、基板２１のうち、点灯回路が形成されている電源配線領域２４（図４参照）と、速結端子２５１（図４参照）及び光センサ２５２（図４参照）が取り付けられている領域２５（図４参照）とを含む部分を収容している。第一部材７１からは、各々が貫通孔７３を有する２つのねじ取付片７４が前側に突出している。また、第一部材７１において左右の面からはそれぞれ、左右方向から見てＬ字状の２つ（図１では１つのみを図示）の引掛片７５（図１参照）が左右方向に突出している。２つの引掛片７５が外部筐体５の２つの引掛片５２２（図１参照）に一対一で対応して引っ掛けられ、各ねじ取付片７４が貫通孔７３において外部筐体５にねじ止めされることにより、第一部材７１は外部筐体５に取り付けられている。
【００４０】
電源ケース７は、自然光（太陽光）を内部に導くための採光部７６を有している。採光部７６は、断面Ｕ字状に形成されている。光センサ２５２（図４参照）は、採光部７６から電源ケース７内に導かれた自然光を検知し、その光量が閾値を下回っているときに、光源モジュール２（図４参照）の点灯回路に検知信号を出力する。そして、点灯回路は、光センサ２５２が検知信号を出力している間は各発光素子２２（図４参照）に電力を供給し、光センサ２５２が検知信号を出力していない間は各発光素子２２に電力を供給しない。
【００４１】
以下、照明器具１（図５参照）を組み立てる方法について説明する。
【００４２】
まず、外部筐体５に電源ケース７の第一部材７１が取り付けられる。
【００４３】
次に、図１、４に示すように、外部筐体５に導電部材３が取り付けられる。より詳細には、導電部材３の２つの第一側板３２は、外部筐体５の２つの差込溝５５１に一対一で対応して、一部が対応する差込溝５５１に差し込まれる。さらに、導電部材３の第一取付孔３５は外部筐体５の丸孔５１６（図２参照）に重ねられ、第一取付孔３５と丸孔５１６とにねじ３９が挿入される。さらに、導電部材３の２つの引掛爪３７は、外部筐体５の２つの溝部５３１（図２参照）に一対一で対応して引っ掛けられる。さらに、導電部材３の支持部３Ａにおける主板３１は外部筐体５の突台部５１２の下面５１３に接する。この状態で、支持部３Ａは、外部筐体５の２つの内壁５３の間に収容される。上記のようにして、外部筐体５に導電部材３が取り付けられる。また、導電部材３が接続部５５に通されることにより、導電部材３は、ハウジング８の内部から外部へ通されている。
【００４４】
次に、外部筐体５に光源モジュール２が固定される。同時に、レンズユニット６が、外部筐体５及び光源モジュール２に固定される。より詳細には、導電部材３の支持部３Ａにおける主板３１に、光源モジュール２の基板２１の第二面２１２の放熱領域２６が接する。つまり、導電部材３は、第二面２１２の放熱領域２６を覆っている。これにより、基板２１は、放熱領域２６に貼り付けられている銅箔を介して導電部材３と熱的に結合する。導電部材３は、基板２１において発光素子２２等から生じる熱を熱伝導により受け取って放熱する。さらに、外部筐体５の４つの第一ボス部５４のねじ孔５４１に、基板２１の４つの溝２８と、レンズユニット６の４つの溝６３とが重ねられる。さらに、基板２１の丸孔２９とレンズユニット６の丸孔６４とが重ねられる。この状態で、各第一ボス部５４のねじ孔５４１に固定ねじ５４２が締められる。また、丸孔２９及び丸孔６４にねじが挿入される。これにより、基板２１が外部筐体５の第一ボス部５４に固定され、レンズユニット６が、第一ボス部５４及び基板２１に固定される。各第一ボス部５４（ねじ孔５４１）は導電部材３と接しない位置に形成されているので、各第一ボス部５４のねじ孔５４１に挿入される固定ねじ５４２は、導電部材３と接しない。なお、固定ねじ５４２としては、例えば、汎用の金属ねじが用いられる。
【００４５】
次に、電源ケース７の第一部材７１に第二部材７２が取り付けられる。これにより、電源ケース７は、基板２１の電源配線領域２４及び領域２５を収容する。
【００４６】
次に、図１、５に示すように、外部筐体５にカバー４が取り付けられる。より詳細には、カバー４の２つのフック４２が、外部筐体５の２つの軸５６に引っ掛けられる。さらに、図３に示すように、パッキン４４に形成されているねじ孔４４１と、カバー４の後端付近に形成されているねじ孔４３と、導電部材３の第二取付孔３６とが重ねられて、これらに取付ねじ４５が挿入される。パッキン４４は、カバー本体４１と導電部材３との間から塵埃及び雨水等がカバー本体４１内に侵入することを抑制する。
【００４７】
以上の組み立てにより、外部筐体５とカバー４とにより構成されたハウジング８は、光源モジュール２、導電部材３の支持部３Ａ、レンズユニット６（図１参照）及び電源ケース７（図１参照）を収容している。また、外部筐体５、導電部材３、光源モジュール２及びレンズユニット６は、上からこの順で重なっている。したがって、外部筐体５は、光源モジュール２の基板２１との間に、導電部材３の支持部３Ａの一部を収容している。より詳細には、外部筐体５は、基板２１との間に、導電部材３の支持部３Ａの一部を挟んでいる。また、外部筐体５の主部５１は、基板２１の第二面２１２を覆っている。カバー４は、基板２１の第一面２１１を覆っている。
【００４８】
本実施形態では、電気絶縁性を有する外部筐体５の第一ボス部５４（図４参照）が基板２１を固定している。接地電位である導電部材３は、支持部３Ａにおいて、基板２１の第一面２１１から突出していない。
【００４９】
これに対して、導電部材が例えばねじ等の導電性の部材により基板を固定している場合は、ねじは、導電部材を介して接地され、基板のうち第一面から突出する。第一面には、広い領域に配線用の導体及び発光素子などの通電部が存在するので、ねじは、通電部の近くに位置することになる。したがって、基板の通電部と、接地電位であるねじとの間の絶縁距離を確保するためには工夫が必要である。基板の第一面の通電部とねじとの間の絶縁距離を確保する方法として、例えば、第一面において配線用の導体及び発光素子を、ねじの近傍を避けて配置することが考えられる。しかしながら、配線用の導体及び発光素子を配置できる領域が制限されるため、発光素子が狭い領域に密集して、発光素子が生じる熱を効率的に放熱しにくい場合がある。
【００５０】
本実施形態では、ねじ孔５４１（図４参照）に挿入されて基板２１の第一面２１１から突出する固定ねじ５４２は、接地されない。したがって、本実施形態では、導電部材が基板を固定している場合と比べて、基板２１上の通電部と、接地される部材（導電部材３）との間の絶縁距離を確保することが容易である。これにより、照明器具１は、例えば雷サージに対して高い耐性を確保することが容易である。また、配線用の導体２７及び発光素子２２を、固定ねじ５４２の近傍を避けて配置する必要がない。したがって、第一面２１１において、導体２７及び発光素子２２を配置できる領域をより広く確保することができる。さらに、基板２１の放熱領域２６が導電部材３に熱的に結合しているので、基板２１上で生じる熱を導電部材３により放熱することができる。
【００５１】
続いて、照明器具１の施工手順を図５を参照して説明する。まず、施工作業を行う作業者は、取付金具９の各側板９１の取付孔９１０に通した取付バンド９２を支柱２００に巻くことで、取付金具９を支柱２００に固定する。続いて、作業者は、取付金具９に、支柱２００側とは反対側から導電部材３の支柱取付部３Ｂを被せる。それから、作業者は、３本のねじ９３、９４、９５を、支柱取付部３Ｂの第一ねじ挿通孔３１１、第二ねじ挿通孔３１２（図１参照）、ねじ挿通溝３１３（図１参照）に通し、さらに、取付金具９の取付板９０の３つのねじ孔にねじ込む。このように、照明器具１は、取付金具９を介して支柱２００に取り付けられる。ただし、作業者は、取付金具９を用いずに、支柱取付部３Ｂの第一側板３２に設けられている挿通孔３２１に取付バンド９２を通し、支柱取付部３Ｂを直接、支柱２００に固定することにより、照明器具１を支柱２００に取り付けることもできる。
【００５２】
上記の通り、本実施形態に係る照明器具１は、基板２１と、導電部材３と、ハウジング８と、を備える。基板２１は、第一面２１１を有する。第一面２１１には、発光素子２２と配線用の導体２７とが設けられている。導電部材３は、電気的に接地される。ハウジング８は、外部筐体５と、カバー４と、を含む。外部筐体５は、電気絶縁性を有する。ハウジング８は、導電部材３の少なくとも一部（支持部３Ａ）と基板２１とを収容する。基板２１は、第二面２１２を更に有する。第二面２１２は、第一面２１１とは反対側の面である。第二面２１２は、放熱領域２６を有する。放熱領域２６は、導体２７と電気的に絶縁されている。放熱領域２６は、導電部材３に熱的に結合している。外部筐体５は、少なくとも１つの固定部（第一ボス部５４）を含む。固定部には、基板２１が固定される。
【００５３】
上記の通り、導電部材３は電気的に接地される。基板２１の放熱領域２６は、導電部材３に熱的に結合している。仮に、基板が導電部材に固定されている場合は、基板上において照明器具の通常の使用状態において通電する発光素子及び導体と、接地される部材（導電部材など）との間の絶縁距離が短くなる場合がある。例えば、ねじ等の導電性の部材により基板が導電部材に固定されていると、ねじは、導電部材を介して接地される。さらに、ねじは、基板を貫通することにより発光素子及び導体の近くに設けられる。したがって、発光素子及び導体と、接地される部材であるねじとの間の絶縁距離が短くなる場合がある。
【００５４】
これに対して、本実施形態では、基板２１は、電気絶縁性を有する外部筐体５の固定部（第一ボス部５４）に固定されている。したがって、基板が導電部材に固定されている場合と比べて、基板２１上の発光素子２２及び導体２７と、接地される部材（導電部材３）との間の絶縁距離を確保することが容易である。これにより、照明器具１は、例えば雷サージに対して高い耐性を確保することが容易である。さらに、基板２１の放熱領域２６が導電部材３に熱的に結合しているので、基板２１上で生じる熱を導電部材３により放熱することができる。
【００５５】
また、本実施形態に係る照明器具１では、導電部材３は、基部（支持部３Ａ）と、支柱取付部３Ｂと、を有する。基部は、少なくとも一部がハウジング８の内部に収容されている。支柱取付部３Ｂは、基部に繋がっている。支柱取付部３Ｂは、支柱２００に取り付けられる。
【００５６】
上記の通り、導電部材３は、支柱２００に取り付けられる支柱取付部３Ｂを有している。したがって、支柱２００に沿って導電部材３を容易に接地することができる。
【００５７】
また、本実施形態に係る照明器具１では、基板２１は、挿入孔（溝２８）を有する。挿入孔には、固定ねじ５４２が挿入される。固定部（第一ボス部５４）は、ねじ孔５４１を有する。ねじ孔５４１には、挿入孔に挿入された固定ねじ５４２が締められる。
【００５８】
上記の通り、基板２１は挿入孔（溝２８）を有する。外部筐体５の固定部（第一ボス部５４）はねじ孔５４１を有する。固定ねじ５４２は、挿入孔に挿入され、ねじ孔５４１に締められる。したがって、基板２１は、固定ねじ５４２により固定部に容易に固定される。
【００５９】
また、本実施形態に係る照明器具１では、固定部（第一ボス部５４）が複数設けられている。外部筐体５は、主部５１を更に有する。主部５１は、基板２１の第二面２１２を覆っている。複数の固定部の各々は、主部５１から突出している。複数の固定部の各々は、ねじ孔５４１を有する。
【００６０】
上記の構成により、外部筐体５の主部５１から突出した複数の固定部（第一ボス部５４）のねじ孔５４１に、基板２１がねじ止めされる。これにより、主部５１と基板２１との間に隙間が生じる。また、主部５１は、基板２１の第二面２１２を覆っている。したがって、導電部材３を基板２１の第二面２１２の放熱領域２６と熱的に結合させるための１つの好ましい形態として、主部５１と基板２１との間に導電部材３を配置することができる。
【００６１】
また、本実施形態に係る照明器具１では、ねじ孔５４１は、固定ねじ５４２が導電部材３に接することなく締められる位置に設けられている。
【００６２】
上記の構成により、固定ねじ５４２は、導電部材３に接することなくねじ孔５４１に締められ、基板２１を外部筐体５の固定部（第一ボス部５４）に固定する。これにより、固定ねじ５４２として耐久性に優れる金属ねじを用いても、固定ねじ５４２が導電部材３を介して接地されない。したがって、基板２１上で生じる熱を導電部材３により放熱する機能を維持しながら、基板２１上の発光素子２２及び導体２７と、接地される部材（導電部材３）との間の絶縁距離を確保することが容易である。
【００６３】
また、本実施形態に係る照明器具１では、導電部材３は、ねじ孔５４１の深さ方向に直交する方向においてねじ孔５４１と対向する位置に、凹部３８を有する。
【００６４】
上記の通り、導電部材３は、ねじ孔５４１の深さ方向に直交する方向においてねじ孔５４１と対向する位置に、凹部３８を有する。これにより、導電部材３の寸法を大きく変更することなく、固定ねじ５４２が導電部材３に接することを避けることができる。
【００６５】
なお、導電部材３は、支柱２００に取り付けられるための支柱取付部３Ｂを有していなくてもよい。すなわち、照明器具１は、支柱取付部３Ｂによらずに支柱２００に取りつけられる構成であってもよい。
【００６６】
また、固定部には、基板２１を固定するためのねじ孔５４１が設けられていなくてもよい。すなわち、基板２１を外部筐体５に対して固定する方法は、ねじ止めに限定されない。例えば、リベットにより基板２１を外部筐体５に対して固定してもよい。
【００６７】
また、支柱取付部３Ｂは、支柱２００に取り付けられる構成であれば、本実施形態とは異なる構成であってもよい。例えば、支柱取付部３Ｂは、取付バンド９２が挿入される挿通孔３２１を有していなくても、少なくとも取付金具９にねじ止め等により取り付けられる構成であればよい。あるいは、支柱取付部３Ｂは、取付金具９に取り付けるためのねじ９３、９４、９４が挿入される第一ねじ挿通孔３１１、第二ねじ挿通孔３１２、ねじ挿通溝３１３を有していなくても、少なくとも挿通孔３２１を有していればよい。あるいは、支柱取付部３Ｂは、取付バンド９２と一体に形成されていてもよい。
【００６８】
また、本実施形態では、外部筐体５と基板２１との間に、導電部材３の支持部３Ａの一部を挟むことにより、導電部材３と基板２１とが互いに接触しているが、導電部材３と基板２１とを互いに接触させる手段はこれに限定されない。例えば、接着剤を用いて基板２１を導電部材３に取り付けてもよい。
【００６９】
また、基板２１の第二面２１２には、銅箔が貼り付けられていなくてもよいし、銅箔に代えて、種々の熱伝導性の材料が貼り付けられていてもよい。
【００７０】
また、基板２１と導電部材３との密着性を高めるために、基板２１と導電部材３とは、グリスを介して互いに接触していてもよい。
【００７１】
また、各発光素子２２はＬＥＤ素子に限定されず、例えば、有機エレクトロルミネッセンス素子又はレーザーダイオード素子等であってもよい。
【００７２】
また、発光素子２２の数は９つに限定されず、１〜８つであってもよいし、１０個以上であってもよい。
【００７３】
また、照明器具１は防犯灯及び街路灯に限らず、例えば、シーリングライト、ベースライト及びダウンライト等の屋内外の各種の照明器具に用いることができる。
【００７４】
上記の各変形例であっても、基板が導電部材に固定されている場合と比べて、照明器具１は、基板２１上の発光素子２２及び導体２７と、接地される部材（導電部材３）との間の絶縁距離を確保することが容易である。また、基板２１上で生じる熱を導電部材３により放熱する機能を維持することができる。
【００７５】
なお、以上説明した実施形態は本発明の一例である。このため、本発明はこれらの実施形態に限定されず、本発明の趣旨を逸脱しない範囲において種々の変形が可能である。
【符号の説明】
【００７６】
１  照明器具
２１  基板
２２  発光素子
２７  導体
２１１  第一面
２１２  第二面
２６  放熱領域
２８  溝（挿入孔）
３  導電部材
３Ａ  支持部（基部）
３Ｂ  支柱取付部
３８  凹部
４  カバー
５  外部筐体
５１  主部
５４  第一ボス部（固定部）
５４１  ねじ孔
５４２  固定ねじ
８  ハウジング
２００  支柱
【図１】
2018120827.tif 000003
【図２】
2018120827.tif 000004
【図３】
2018120827.tif 000005
【図４】
2018120827.tif 000006
【図５】
2018120827.tif 000007